(57)【要約】スクリーンデッキに取り付けられるように適合された、鉱業および採石業のための改良された開口部を備えたスクリーンパネルであって、補強枠に形成された本明細書に記載されているような材料から構成されているスクリーニング面を備え、物質の通過を可能にする好適に設計された開口部を有し、前記開口部に、弾性リブ（５）およびその両側の突起（４）が、適切な開放空間が存在するように互いに対して構成されており、それにより、スクリーニング作業による物質の目詰まりが実質的に低減される、スクリーンパネル。
2013540581.tif 000002
【特許請求の範囲】
【請求項１】
スクリーンデッキに取り付けられるように適合された、鉱業および採石業のための改良された開口部を備えたスクリーンパネルであって、補強枠に形成された本明細書に記載されているような材料から構成されているスクリーニング面を備え、物質の通過を可能にするように設計された開口部を有し、前記開口部に、弾性リブおよびその両側の突起が、適切な開放空間が存在するように互いに対して構成されており、それにより、スクリーニング作業による物質の目詰まりが実質的に低減される、スクリーンパネル。
【請求項２】
前記突起と前記リブとが接触しないように、前記突起が前記リブの周囲に形成されている、請求項１に記載のスクリーンパネル。
【請求項３】
前記リブおよび前記突起が、物質が円滑に通過することができる穴が生成されるように配置されている、請求項１に記載のスクリーンパネル。
【請求項４】
前記突起が、前記リブの右側および左側に配置されている、請求項１に記載のスクリーンパネル。
【請求項５】
前記リブが、物質の通過を確実にすべく変形するように弾性を有している、請求項１〜４のいずれか一項に記載のスクリーンパネル。
【請求項６】
加硫材料、ゴムおよびポリウレタンのいずれかを含むとともに、ピンおよびラグ型取付具およびボタン型取付具の一方を有している、請求項１〜５のいずれか一項に記載のスクリーンパネル。
【請求項７】
前記リブおよび前記突起が、ポリウレタンおよびゴムの一方から作製され、さらに、固定手段が、鋼および他の任意の材料の一方から作製されている、請求項１〜６のいずれか一項に記載のスクリーンパネル。
【請求項８】
スクリーンデッキに取り付けられるように適合された、鉱業および採石業のための改良された開口部を備えたスクリーンパネルを製造する方法であって、物質の通過を可能にするように設計された開口部を作製するステップを含み、適切な開放領域が生成されるように、弾性リブをその両側の突起とともに設計するステップであって、それにより、スクリーニング作業による物質の目詰まりが実質的に低減される、ステップをさらに含む方法。
【請求項９】
前記リブおよび前記突起を互いに接触しないように配置するステップを含む、請求項８に記載の方法。
【請求項１０】
改良された開口部を備えた複数のスクリーンパネルが取り付けられている、鉱業および採石業のためのスクリーニングデッキであって、前記パネルの各々が、スクリーンデッキに取り付けられるように適合され、補強枠に形成された本明細書に記載されているような材料から構成されているスクリーニング面を備え、前記スクリーンパネルが、物質の通過を可能にするように設計された開口部を有し、前記開口部に、弾性リブおよびその両側の突起が、適切な開放空間が存在するように互いに対して構成されており、それにより、スクリーニング作業による物質の目詰まりが実質的に低減される、スクリーニングデッキ。
【発明の詳細な説明】
【技術分野】
【０００１】
本発明は、概して、鉱業および採石業における鉱物のスクリーニング（ふるい分け）／選別または分級用のスクリーニング装置、特に、パネルの目詰まりを実質的に低減するように適合された、改良された開口部を備えるスクリーンパネルに関する。
【背景技術】
【０００２】
現在鉱業によって広く使用されている鉱石スクリーニングデッキ用のスクリーニングパネルシステムが、初期のスクリーニング布および大型のワイヤスクリーニングフレームに取って代わった。これらのスクリーニングパネルは、鋼補強材を備えたゴム製またはポリウレタン製であることが知られている。こうしたパネルは、熱加硫法または鋳造によって製造されることも知られている。パネルは、ボルト締めまたは他の手段によってスクリーン機械の支持枠に固定されるように適合されている。
【０００３】
上述したように、当該技術分野において知られているスクリーンパネルでは、開口径に略近いサイズの粒子がスクリーンに閉じ込められることにより、または含水量の増大により蓄積される微粉により、大規模な目詰まりが起こることが多い。その後、穴の詰まりを除去するために余分な労力が必要である。これを行うために、作業の中断が必要である。これらの要因により、スクリーニング効率が大幅に低下する。スクリーンパネルが役に立たなくなるのではなく、むしろ効率よく（ｂｒｉｓｋｌｙ）なるように、スクリーニング作業によるパネルの目詰まりを実質的に低減するために、極めて長期間この分野において研究が行われている。しかしながら、その観点における著しい画期的な進歩は未だに達成されていない。
【発明の概要】
【発明が解決しようとする課題】
【０００４】
したがって、鉱業および採石業における用途に対して、スクリーニング作業によるスクリーンパネルの目詰まりが実質的に低減するように改良された開口部を備える、スクリーンパネルを設計することが長年にわたって必要とされてきた。
【課題を解決するための手段】
【０００５】
本発明は、上述した長年にわたる要求を満たすものである。
特許請求の範囲を含む本明細書全体にわたり、「スクリーンパネル」、「スクリーンデッキ」、「採鉱」、「採石」、「鉱物」、「鉱石」、「壁」、「ボタン」、「スクリーニング面」、「スクリーニングデッキ」という言葉は、当業者に明らかであり得るように、それぞれの用語の最も広い意味で解釈されるべきであり、かつ、他の用語によって既知である本技術分野における同様のすべての項目を含む。あるとすれば、本明細書において言及されている制限／限定は、単に例としてかつ本発明を理解するためのものである。
【０００６】
本発明の主な目的は、鉱業および採石業における用途のためのスクリーニングパネルであって、スクリーンパネルの目詰まりを防止／実質的に低減し、それによりパネルの寿命を延長するように適合された、改良された開口部を備えるスクリーンパネルを提供することである。
【０００７】
本発明のさらなる目的は、実質的に耐用年数が延長され、かつ、スクリーニング作業中に追加の自由度をもたらすように適合された、改良された開口部を備えるスクリーンパネルを提供することである。
【０００８】
本発明のさらなる目的は、可撓性の開口部壁を有し、それにより鉱石が開口部を容易に通過するのを促進するとともに、目詰まりの防止を確実にするスクリーンパネルを提供することである。
【０００９】
本発明の別の目的は、鉱業および採石業における用途のためのスクリーニングパネルであって、スクリーニング作業による物質の目詰まりを防止／実質的に低減するように適合された、改良された開口部を備えるスクリーンパネルを製造する方法を提供することである。
【００１０】
本発明のさらなる目的は、鉱業および採石業における用途のためのスクリーニングデッキであって、鉱業および採石業における用途のための、改良された保護開口部を備えた複数のスクリーンパネルが取り付けられており、スクリーニング作業による物質の目詰まりを防止／実質的に低減し、それによりパネルの寿命を延長するように適合された、スクリーニングデッキを提供することである。
【００１１】
上述した目的がいかに達成されるかと、本発明の他の態様とは、単に理解を目的とするものであっていかなる種類の限定をも目的とするものではなく、このことは以下の説明から明らかとなろう。
【００１２】
したがって、本発明は、スクリーンデッキに取り付けられるように適合された、鉱業および採石業のための改良された開口部を備えたスクリーンパネルであって、補強枠に形成された本明細書に記載されているような材料から構成されているスクリーニング面を備え、物質の通過を可能にする好適に設計された開口部を有し、前記開口部に、弾性リブおよびその両側の突起が、適切な開放空間が存在するように互いに対して構成されており、それにより、スクリーニング作業による物質の目詰まりが実質的に低減される、スクリーンパネルを提供する。
【００１３】
本発明のスクリーンパネルの好ましい実施形態によれば、
−前記突起と前記リブとが接触しないように、前記突起が前記リブの周囲に形成されており、
−前記リブおよび前記突起は、物質が円滑に通過することができる穴が生成されるように配置されており、
−前記突起は、前記リブの右側および左側に配置されており、
−前記リブは、物質の通過を確実にすべく変形するように適切な弾性を有しており、
−前記パネルは、加硫材料、ゴムまたはポリウレタンを含むとともに、ピンおよびラグ型取付具またはボタン型取付具を有しており、
−前記リブおよび前記突起は、ポリウレタンまたはゴムから作製され、さらに、固定手段は、ボタン型またはボルト締め取付具の場合は鋼から作製され、またはポリウレタンあるいは他の任意の材料から作製され得る。
【００１４】
本発明はまた、スクリーンデッキに取り付けられるように適合された、鉱業および採石業のための改良された開口部を備えたスクリーンパネルを製造する方法であって、物質の通過を可能にする好適に設計された開口部を作製するステップを含み、適切な開放領域が生成されるように、弾性リブをその両側の突起とともに設計するステップであって、それにより、スクリーニング作業による物質の目詰まりが実質的に低減される、ステップをさらに含む方法も提供する。
【００１５】
本発明の方法の好ましい実施形態によれば、
−前記リブおよび前記突起を互いに接触しないように配置するステップを含む。
本発明はまた、改良された開口部を備えた複数のスクリーンパネルが取り付けられている、鉱業および採石業のためのスクリーニングデッキであって、前記パネルの各々が、スクリーンデッキに取り付けられるように適合され、補強枠に形成された本明細書に記載されているような材料から構成されているスクリーニング面を備え、前記スクリーンパネルが、物質の通過を可能にする好適に設計された開口部を有し、前記開口部に、弾性リブおよびその両側の突起が、適切な開放空間が存在するように互いに対して構成されており、それにより、スクリーニング作業による物質の目詰まりが実質的に低減される、スクリーニングデッキも提供する。
【００１６】
本発明の特質および範囲は、いかなる種類の限定をも目的とするものではなくいくつかの好ましい実施形態を例示することを目的とする付随の図面からより理解されよう。
【図面の簡単な説明】
【００１７】
【図１】本発明の好ましい実施形態によるスクリーンパネルを有するスクリーニング面を示す平面図。
【図２】図１の線Ａ−Ａに沿った断面図。
【図３】本発明の好ましい実施形態による改良された開口部を示す拡大図。
【図４】本発明の好ましい実施形態によるリブおよび突起の配置を示す図。
【図５】図４の実施形態の特徴を示す拡大図。
【図６】図５のさらなる拡大図。
【発明を実施するための形態】
【００１８】
以下は、本発明のいくつかの好ましい実施形態を説明しており、それら実施形態は、単に、本発明の実施を理解するためのものであって、いかなる種類の限定をも目的とするものではない。
【００１９】
本発明は、鉱業および採石業における用途に対して、改良された開口部を備えたスクリーンパネルを提供することを目的とする。これにより、パネルの目詰まりを防止／実質的に低減することが確実になり、それによって、パネルの寿命が延長される。本発明によるスクリーンパネルは、「背景技術」の項において述べたように、本技術分野において既知であるスクリーンパネルの欠点をなくす／低減する。本発明は、鉱石をスクリーニングする間に目詰まり／閉塞を大幅に低減するスクリーンパネルを有するスクリーニング面に焦点を当てる。
【００２０】
パネルは、工程における円滑な作業を確実にする。本発明による改良された開口部は、鉱石をスクリーニングするための特別な設計を有しており、部材およびその繋がり（ｌｉｇａｍｅｎｔ）の独立した動きを促進することにより、デッキにおける閉塞または目詰まりを低減するのに役立つ。これとは別に、これらのタイプの開口部における移動の自由度は、既存のものに比較して優れており、それにより、目詰まり（ｂｌｉｎｄｉｎｇ）問題がさらに低減する。これらの改良された開口部により、可能な限り作業の中断の低減が促進される。
【００２１】
図１に、本発明による改良された開口部を備えたスクリーンパネルを有するスクリーニング面（１）を示す。
スクリーンパネルは、鉱業および採石業において鉱物のスクリーニング／選別または分級をもたらすために、スクリーンデッキに取り付けられている。正確には、本発明は、補強枠に一体的に形成されているスクリーニング面を備えた、スクリーニングデッキに取り付けられるように適合された、改良された開口部を備えるスクリーンパネルを提供する。こうしたスクリーンパネルは、弾性リブを有しその両側に突起がある開口部を有している。それらの突起は、十分な開放領域をもたらすように配置されている。そのような突起はまた、隣接するリブとの接触を回避するようにも配置されており、それにより、追加の自由度をもたらすのに役立つ。したがって、リブおよび突起は、物質が容易に通過することができる穴をパネルにもたらす。これを、改良された開口部（２）を示す図２において明確に示す。
【００２２】
スクリーンパネルは、ゴムまたはポリウレタンで熱加硫または鋳造によって製造され、ピンおよびラグ型取付具（ｆｉｘｉｎｇ）またはボタン型取付具を有している。スクリーニング面は、リブを備え、リブの右側および左側に突起がある。突起は、１つの突起と隣接するリブとが接触しないようになっており、それは、突起と隣接するリブとの間に、常に小さい間隙が残っていることを意味する。リブは、鉱石のスクリーニング中に変形するように適切な弾性を有しており、それにより鉱石が穴を通過するのを確実にする。
【００２３】
スクリーンパネルは、ボタン型取付具またはボルト締めまたはピンおよびラグ型取付具によって枠に固定されている。
本発明による改良された開口部を、図２において極めて明確に示しており、この図２は、図１の線Ａ−Ａに沿った断面図である。
【００２４】
図３は、本発明による改良された開口部（２）の拡大図を示す。
パネル、リブおよびリブの突起は、ポリウレタンまたはゴムから作製されており、固定手段は、ボタン型またはボルト締め取付具の場合は鋼から作製され、またはポリウレタンあるいは他のあらゆる材料から作製され得る。
【００２５】
図４は、リブ（５）および突起（４）の配置を示す。図４では、リブ（５）が両側に突起（４）を有していることが明確に示されている。リブは、弾性を有するように設計されており、ポリマコードによって補強されている。しかしながら、リブを、ポリマまたは鋼のコードあるいは他の任意のタイプのコードまたは平坦部材（ｆｌａｔ）によって補強してもしなくてもよいことが理解されるべきである。
【００２６】
図５は、リブ（５）および突起（４）がどのように構成され、それによりこうしたリブと突起との接触が回避され、適切な間隙（６）が存在するかをさらに示す。これらの間隙（６）を、図６の拡大図により明確に示し、このため、物質はこれらの間隙を容易に通過することができる。
【００２７】
開口部において１つの粒子が付着すると、リブ（５）の可撓性と、リブ（５）と突起（４）との間にあり得る小さい間隙（６）とにより、リブがわずかに外側に移動することができ、したがって、付着した物質が穴を通過することができる。
【００２８】
突出部が連続していないため、それによって差動運動がもたらされ、したがって付着した粒子を通過させるかまたは外に出す。これにより、二次振動もまたもたらされ、それによって付着した物質が外側かまたは内側に移動（ｔｈｒｏｗ）する。粘着性物質の場合、突起（４）およびリブ（５）に差動運動とともに二次振動があるため、物質がある程度穴に入ることが不可能となり、それによりスクリーニング効率が向上する。
【００２９】
本発明は、業界の必要に応じてすべての所望する形状の開口部に対して適用可能である。パネルを種々のサイズとすることができ、すなわちモジュール型（３０５ｍｍ×３０５ｍｍおよび６１０ｍｍ×３００ｍｍ）およびより大きいサイズとすることも可能である。モジュール型の場合、スクリーンデッキに取り付けるために、ボタン型、ピンおよびスリーブ型のようなスナップ式型取付具を設けることができる。
【００３０】
本発明によるスクリーンパネルを製造する方法は、物質の通過を可能にする好適に設計された開口部を作製するステップを含む。本方法は、適切な開放領域が生成されるように、弾性リブをその両側の突起とともに設計するステップであって、それにより、スクリーニング作業による物質の目詰まりが実質的に低減される、ステップをさらに含む。
【００３１】
本発明を、いかなる限定としてでもなく単に理解のために、いくつかの図面および好ましい実施形態を参照して説明しており、本発明は、本明細書に前述し添付の特許請求の範囲において記載されているものの範囲内にあるすべての正当な展開を含む。
【図１】
2013540581.tif 000003
【図２】
2013540581.tif 000004
【図３】
2013540581.tif 000005
【図４】
2013540581.tif 000006
【図５】
2013540581.tif 000007
【図６】
2013540581.tif 000008
【国際調査報告】
2013540581.tif 000009
2013540581.tif 000010
2013540581.tif 000011